(57)【要約】【課題】多数の利用者が、原本ファイルを修正することなく、１つのコンテンツファイルに索引付けるためのコンテンツの特定部分抽出システムを提供する。【解決手段】本発明は、コンテンツの所定部分抽出システムに関するもので、コンテンツをサービスするために所望の所定部分を抽出するとき、多数の利用者が一つのコンテンツに対し、動画像コンテンツである場合、特定フレームの開始時間及び終了時間を抽出して時間的領域で索引付けし、静止コンテンツである場合、特定領域の開始位置と終了位置を抽出して空間的領域で索引付けする。その後、前記特定の部分のみを探すとき、索引付けされたデータベースから特定部分を検索して表示することで、原本ファイルを修正することなく、多数の利用者が一つのコンテンツファイルに対して索引付けして検索データベースを構築する。
2007531104.tif 000002
【特許請求の範囲】
【請求項１】
提供するコンテンツを登録し、提供されるコンテンツのアドレス情報及び価格情報を保存するためのコンテンツ管理データベースと、
前記コンテンツ管理データベースに保存された動画像コンテンツの時間区間毎に開始時間及び終了時間を指定して前記時間区間を抽出し、当該抽出された時間区間の前記開始時間及び前記終了時間にしたがって動画像を再生及び終了させる時間制御器と、
前記コンテンツ管理データベースに保存された静止画像コンテンツの領域毎に開始位置及び終了位置を指定して前記領域を抽出し、当該抽出された領域の前記開始位置及び前記終了位置にしたがってファイル領域を表示するための空間制御器と、
前記時間制御器によって抽出された動画像コンテンツのストリーミングにおける前記時間区間と前記空間制御器によって抽出された静止画像コンテンツの表示における前記領域を検索するために、前記動画像コンテンツのストリーミングと前記コンテンツの表示領域のそれぞれについて検索索引語及び描画記述物を保存するとともに、保存された前記検索索引語及び前記描写記述物を統合的に保存するためのコンテンツ検索データベースと、
を備えることを特徴とするコンテンツの特定部分抽出システム。
【請求項２】
前記動画像コンテンツは、Ｗｉｎｄｏｗｓ（登録商標）メディア、リアルタイム、クィックタイム、ＭＰＥＧ１／２／４／７／２１などの多様なファイルフォーマットを有するコンテンツであることを特徴とする請求項１に記載のコンテンツの特定部分抽出システム。
【請求項３】
前記静止コンテンツは、テキスト、グラフィック、イメージ、ｈｔｍｌ、ｘｍｌなどの多様なファイルフォーマットを有するコンテンツであることを特徴とする請求項１に記載のコンテンツの特定部分抽出システム。
【発明の詳細な説明】
【技術分野】
【０００１】
本発明は、コンテンツの特定部分抽出システムに関するもので、詳しくは、コンテンツを提供するために所望の特定部分を抽出するとき、多数の利用者が、動画像コンテンツの場合には動画像の特定フレームの開始時間及び終了時間を抽出して1つのコンテンツに対して時間的領域で索引付け（インデックス）し、静止画像コンテンツの場合には特定領域の開始位置及び終了位置を抽出して１つのコンテンツに対して空間的領域で索引付けし、その後、前記特定の部分のみを検索する時には、原本ファイルを修正することなく、索引付けされたデータベースから所望の特定部分を検索して表示することで、多数の利用者が１つのファイルに対して索引付けして検索データベースを構築し、コンテンツの特定部分を抽出できるコンテンツの特定部分抽出システムに関するものである。
【背景技術】
【０００２】
現在、有線通信／無線通信を通して提供されるコンテンツは、主として動画像コンテンツ及び静止画像コンテンツである。動画像コンテンツ及び静止コンテンツは、ファイル単位で最初から最後まで送られる。
【０００３】
動画像コンテンツの中間部分を見るためには、利用者は、プレーヤーにおける該当箇所に検索バーを移動させる。しかしながら、この場合、該当箇所を正確に探し出すのは困難である。また、一度見たことのある部分を再び見るためには、利用者は、検索バーを移動させながら該当箇所を探さなくてはならない。
【０００４】
一方、キーフレーム方式では、利用者は、代表イメージを選択するか、或いは抽出し、当該選択又は抽出された代表イメージを利用して所望の部分を見る。しかしながら、このキーフレーム方式も正確ではないという問題がある。
【０００５】
また、静止画像コンテンツの場合においても、利用者は、静止画像ファイルの中間部分（intermediate portion）を見るために、該当箇所と思われる位置に検索バーを移動させるが、この場合も、該当箇所を正確に探し出すことができない。
【０００６】
本出願人は、利用者の情報要求に応じた所望の情報のみを抽出し、当該抽出された情報を表示する抽出方法を、２０００年６月９日に出願して特許を受けた大韓民国特許第０４０７０３３号（２００３年１１月２８日公告）「情報モデリング方法によってデータベースを構築し、構築されたデータベースを用いて情報を検索する方法」で開示した。この大韓民国特許第０４０７０３３号で開示された方法では、利用者が、歴史資料、産業情報、文書資料、学習情報及び画像情報などの各種情報ユニットを要求すると、ユーザ端末は、これらの各種情報ユニットを含むデータベースに接続する。そして、利用者によって入力された意味要素、例えば時間側面（時間データ）や、空間側面（空間データ）、時間・空間側面（時間空間データ）、状況名、キーワードなどについて分析及びモデリング処理が実行される。このような分析及びモデリング処理を通して構築されたデータベースから、関連状況、モジュール及びアクションなどが取得される。上記特許文献においては、利用者が所望の情報を抽出しようとする時に、当該所望の情報の検索確率が増すように、前記構築されたデータベースから情報を検索するためのデータベースの構築方法及びデータ検索方法が開示されている。
【０００７】
したがって、上述した方法を効果的に実現するためには、時間的領域（temporal domains)及び空間的領域(spatial domains)において動画像ファイル及び静止画像ファイルを修正することなく、多数の利用者が入力した意味要素で分析及びモデリング処理を実行し、これに基づいて構築されたデータベースを通して動画像ファイル及び静止画像ファイルの特定部分を抽出することのできる特定部分の抽出システムが必要となる。
【発明の開示】
【発明が解決しようとする課題】
【０００８】
本発明は、上記のような必要性によって創作されたもので、本発明の目的は、コンテンツの特定部分抽出システムに関するもので、詳しくは、コンテンツを提供するために所望の特定部分を抽出するとき、多数の利用者が、動画像コンテンツの場合には動画像の特定フレームの開始時間及び終了時間を抽出して1つのコンテンツに対して時間的領域で索引付け（インデックス）し、静止画像コンテンツの場合には特定領域の開始位置及び終了位置を抽出して１つのコンテンツに対して空間的領域で索引付けし、その後、前記特定の部分のみを検索する時には、原本ファイルを修正することなく、索引付けされたデータベースから所望の特定部分を検索して表示することで、多数の利用者が１つのファイルに対して索引付けして検索データベースを構築し、コンテンツの特定部分を抽出できるようにするコンテンツの特定部分抽出システムを提供することにある。
【課題を解決するための手段】
【０００９】
上記のような目的を実現するための本発明に係るコンテンツの特定部分抽出システムは、提供するコンテンツを登録し、提供されるコンテンツのアドレス情報（住所情報）及び価格情報を保存するためのコンテンツ管理データベースと、前記コンテンツ管理データベースに保存された動画像コンテンツの時間区間（time  interval）毎に開始時間及び終了時間を指定して前記時間区間を抽出し、当該抽出された時間区間の前記開始時間及び前記終了時間にしたがって動画像を再生及び終了させる時間制御器と、前記コンテンツ管理データベースに保存された静止画像コンテンツの領域（space interval)毎に開始位置及び終了位置を指定して前記領域を抽出し、当該抽出された領域の前記開始位置及び前記終了位置にしたがってファイル領域を表示するための空間制御器と、前記時間制御器によって抽出された動画像コンテンツのストリーミングにおける前記時間区間と前記空間制御器によって抽出された静止画像コンテンツの表示における前記領域を検索するために、前記動画像コンテンツのストリーミングと前記コンテンツの表示領域のそれぞれについて検索索引語（serch  index）及び描画記述物（description  material）を保存するとともに、保存された前記検索索引語及び前記描写記述物を統合的に保存するためのコンテンツ検索データベースと、を備えることを特徴とする。
【００１０】
本発明の一実施の形態では、動画像コンテンツは、Ｗｉｎｄｏｗｓ（登録商標）メディア、リアルタイム、クィックタイム、ＭＰＥＧ１／２／４／７／２１などの多様なファイルフォーマットを有することを特徴とする。
【００１１】
本発明の一実施の形態では、静止画像コンテンツは、テキスト、グラフィック、イメージ、ｈｔｍｌ、ｘｍｌなどの多様なファイルフォーマットを有することを特徴とする。
【発明の効果】
【００１２】
上記のように構成された本発明は、動画像コンテンツの場合、時間制御器で特定部分の開始時間及び終了時間を通して特定区間を抽出し、静止コンテンツの場合、空間制御器で特定部分の開始位置及び終了位置を通して特定領域を抽出する。よって、原本ファイルの修正することなく、多数の利用者が一つのコンテンツに対してインデックスし、その結果をコンテンツ検索データベースに保存することで、コンテンツにおいて予め定めた部分を検索できるとともに、当該検索された部分のみを提供できるようになる。
【発明を実施するための最良の形態】
【００１３】
以下、本発明の好ましい実施の形態を図面に基づいて説明する。ここで、本実施形態は、本発明の権利範囲を限定するものではなく、例示的に提示されたものに過ぎない。
【００１４】
図１は、本発明に係るコンテンツの特定部分の抽出システムを示したブロック構成図である。
【００１５】
図１に示すように、コンテンツ管理データベース１０は、利用者に提供される少なくとも一つのコンテンツファイルを登録し、当該提供されるコンテンツファイルのアドレス情報（住所情報）及び価格情報を保存するためのものである。時間制御器２０は、コンテンツ管理データベース１０に保存された動画像の時間区間（time interval)毎の開始時間及び終了時間を指定して当該時間区間を抽出し、この抽出された時間区間の開始時間及び終了時間に従って動画像を再生及び終了させるものである。空間制御器３０は、コンテンツ管理データベース１０に保存されたファイルの領域（space interval)毎の開始位置及び終了位置を指定して当該領域を抽出し、この抽出された領域の開始位置及び終了位置に従って前記ファイルにおける一部の領域を表示するためのものである。コンテンツ検索データベース４０は、時間制御器２０を通して抽出された動画像コンテンツのストリーミングにおける前記時間区間が前記動画像コンテンツのストリーミングにおいて抽出されるように、及び、空間制御器３０を通して抽出されたコンテンツの前記領域が静止画像コンテンツの表示において取得されるように、動画像コンテンツのストリーミングとコンテンツの表示領域のそれぞれについての検索索引語（search index）及び描写記述物（description material)を保存するだけでなく、保存された検索索引語及び描画記述物（説明資料）を統合的に組み合わせて保存するためのものである。
【００１６】
したがって、コンテンツ管理データベース１０に保存されたＷｉｎｄｏｗｓ（登録商標）メディア、リアルタイム、クイックタイム、ＭＰＥＧ１／２／４／７／２１などの多様なファイルフォーマットに基づく動画像コンテンツの予め定めた時間区間が提供される。また、コンテンツ管理データベース１０に保存された、テキスト、グラフィック、イメージ、ｈｔｍｌ、ｘｍｌなどの多様なファイルフォーマットに基づく静止画像コンテンツの予め定めた領域が提供される。そして、多数の利用者が、それぞれ同一コンテンツの異なる部分を保存しようとする場合には、予め定めた時間区間のコンテンツと予め定めた領域のコンテンツとが抽出され、この抽出されたコンテンツがコンテンツ検索データベース４０に保存されるようになる。
【００１７】
動画像コンテンツの場合、コンテンツ管理データベース１０に保存された動画像コンテンツにおいて予め定めた時間区間を抽出しようとするとき、利用者が動画像ファイルを見ながら、抽出しようとする前記時間区間の開始箇所を選択すると、時間制御器２０は、当該時間区間の開始時間を抽出する。利用者が前記時間区間の終了箇所を選択すると、時間制御器２０は、当該時間区間の終了時間を抽出する。その後、利用者が、選択して定めた時間区間に対する検索索引語，キーワード，題目，関連情報などを入力した時に、抽出された前記時間区間の開始時間及び終了時間とともに検索に必要な各種情報ユニットが索引付け（インデックス）られ、この索引付けの結果がコンテンツ検索データベース４０に保存される。
【００１８】
このように、利用者は、元の動画像ファイルを修正することなく、時間制御器２０を利用して、インターネットなどで動画像を見ながら、動画像のフレームに対応する開始時間及び終了時間に基づいて時間区間を抽出することができるので、多数の利用者が、それぞれ同一のファイルに対して、索引付けできるようになる。
【００１９】
すなわち、図２に示すように、利用者１と利用者ｎが、それぞれ動画像の原本ファイルを見ながら、各タイムラインにおける所望の部分を選択すると、当該所望の部分に対応する開始時間及び終了時間が抽出される。コンテンツ検索データベース４０には、このようにして予め定められた時間区間に対応する開始時間及び終了時間だけでなく、各利用者による検索処理において必要となる情報が、利用者毎に保存される。
【００２０】
また、上述したように、開始時間及び終了時間が抽出され、その後、このようにして予め定めた時間区間が抽出されるため、動画像のファイルフォーマットとは関係なく、全てのファイルフォーマットについて制御できるようになる。すなわち、Ｗｉｎｄｏｗｓ（登録商標）メディア、リアルタイム、クィックタイム、ＭＰＥＧ１／２／４／７／２１などの種々のファイルフォーマットに関係なく、該当動画像の開始時間及び終了時間のみが抽出され、所定の時間区間が抽出され、抽出結果を示す情報がデータベースに保存（データベース化）される。時間制御装置２０は、このような時間情報に基づいて、選択された前記時間区間のコンテンツを開始時間に再生し、当該再生処理を終了時間に終了する。そのため、利用者が予め定めた時間区間のコンテンツのみが再生されるようになる。
【００２１】
また、静止画像コンテンツの場合に、利用者がコンテンツ管理データベース１０に保存された静止画像コンテンツの所定領域を抽出しようとする時には、当該利用者が静止画像ファイルを見ながら抽出しようとする所定領域の開始位置を選択すると、空間制御器３０は、当該所定領域の開始位置を抽出する。利用者が前記所定領域の終了位置を選択すると、空間制御器３０は、当該所定領域の終了位置を抽出する。その後、利用者が、選択した所定領域に対応付けて検索索引語などのキーワード、題目、関連情報などを入力すると、空間制御器３０は、当該所定領域の開始位置及び終了位置とともに検索処理に必要となる各種情報ユニットを索引付け（インデックス）し、索引付けの結果をコンテンツ検索データベース４０に保存する。
【００２２】
このように、利用者は、静止画像コンテンツの元のファイルを修正することなく、インターネットなどで各種の静止画像コンテンツを見ながら、空間制御器３０を利用して、文書の特定領域に対応する開始位置及び終了位置に基づいて所定領域を抽出するので、多数の利用者が、それぞれ同一のファイルに対して索引付けできるようになる。
【００２３】
すなわち、図３に示すように、利用者ａと利用者ｂが、それぞれ元の静止画像ファイルを見ながらファイル内の所望の一部の領域を選択しようとする時、当該領域の開始位置及び終了位置が抽出される。コンテンツ検索データベース４０には、利用者毎に定めた前記領域に対応する開始位置及び終了位置とともに、各利用者による検索処理において必要となる情報が保存される。
【００２４】
すなわち、空間制御器３０は、コンテンツ管理データベース１０に保存された静止画像ファイルにおいて利用者ａが選択した所定領域の開始位置ａ（ａｘｐ，ａｙｐ）及び終了位置ａ'（ａ’ｘｐ、ａ’ｙｐ）を抽出する。そして、空間制御器３０は、抽出の結果とともに各利用者による所定領域の開始位置及び終了位置の検索に必要となる情報を、検索データベース４０に保存する。さらに、空間制御器３０は、コンテンツ管理データベース１０に保存された静止画像ファイルにおいて利用者ｂが選択した領域の開始位置ｂ（ｂｘｐ，ｂｙｐ）及び終了位置ｂ'（ｂ’ｘｐ，ｂ’ｙｐ）を抽出する。そして、空間制御器３０は、抽出の結果とともに各利用者による所定領域の開始位置及び終了位置の検索に必要となる情報を、検索データベース４０に保存する。
【００２５】
このように、静止画像ファイルの所定領域に対する開始位置及び終了位置を抽出して、所定領域を抽出するため、静止画像コンテンツのファイルフォーマットとは関係なく、全てのファイルフォーマットついて制御できるようになる。すなわち、テキスト、グラフィック、イメージ、ｈｔｍｌ、ｘｍｌなどの多様なファイルフォーマットに関係なく、該当ファイルの開始位置及び終了位置のみが抽出されて所定領域が抽出され、抽出結果を示す情報がデータベースに保存（データベース化）される。空間制御部３０が、このような空間的な情報にしたがって選択された所定領域を開始位置から終了位置まで表示することで、当該所定領域における位置の編集が可能となる。
【００２６】
したがって、本発明に係るコンテンツの所定部分抽出システムを用いて、コンテンツを販売などの形式で提供する場合、コンテンツのストリーミングや文書の特定部分について索引付けすることで、全体コンテンツのうち所望の部分が検索できるようになる。また、該当部分のみが抽出され、抽出された部分が有無線インターネットを通して提供されるようになる。また、該当部分が抽出された時には、検索索引語が索引付け処理において追加されるため、動画像コンテンツや静止画像コンテンツが正確に検索できるようになる。その結果、コンテンツファイル全体ではなく、コンテンツファイルの一部のみが抽出され、抽出された当該一部が低廉な価格で有線又は無線インターネットを通して提供されるようになり、オンラインでコンテンツの取引及びサービスを活性化することができる。
【産業上の利用可能性】
【００２７】
上記したように、本発明は、動画像コンテンツである場合には、コンテンツを提供するために所望の特定部分を抽出しようとする時に、多数の利用者が一つのコンテンツに対し、特定フレームの開始時間及び終了時間を抽出して時間的領域で索引付けする。静止コンテンツである場合には、多数の利用者が一つのコンテンツに対し、特定領域の開始位置と終了位置を抽出して空間的領域で索引付けする。その後、前記特定部分のみを検索する時には、索引付けされたデータベースから特定部分が検索され表示される。これによって、原本ファイルの修正することなく、多数の利用者が一つのファイルに対して索引付けして検索データベースを構築し、コンテンツの特定部分を抽出できるという効果がある。
【００２８】
また、動画像コンテンツの場合には、開始時間及び終了時間を抽出して予め定めた時間区間が抽出され、静止コンテンツの場合には、予め定めた領域の開始位置及び終了位置が抽出されて表示・編集されるため、ファイルフォーマットとは関係なく、全てのファイルフォーマットについての制御が可能となる効果がある。
【図面の簡単な説明】
【００２９】
【図１】本発明に係るコンテンツの特定部分抽出システムを示したブロック構成図である。
【図２】本発明に係る動画像コンテンツの予め定めた時間区間の抽出過程を説明するための図である。
【図３】本発明に係る静止画像コンテンツの予め定めた領域の抽出過程を説明するための図である。
【図１】
2007531104.tif 000003
【図２】
2007531104.tif 000004
【図３】
2007531104.tif 000005
【国際調査報告】
2007531104.tif 000006